(57)【要約】【課題】ネットワーク上でドメイン間通信を実現するシステム及びその方法を提供することを課題とする。【解決手段】本発明は、１つ以上の管理ユニットに接続する複数の管理ユニットとエンティティを含むシステムにより、ネットワーク上でドメイン間通信を実現する。管理ユニットの機能は、接続する各エンティティに対して、ユニバーサル識別を保存、管理及び割り当て、または生成する。ユニバーサル識別により実行される機能は、ネットワーク上の通信経路を解決し、エンティティを直接接続することを含む。【選択図】図１
2018157563.tif 000002
【特許請求の範囲】
【請求項１】
ネットワーク上でドメイン間通信を実現するシステムであって、
ネットワークを通じて階層式管理構造を形成し、互いに接続する複数の管理ユニットと、
前記複数の管理ユニットは、１つ或いは複数のドメイン識別を持ち、前記１つ或いは複数のドメイン識別が１つ或いは複数の管理ユニット及び／又は１つ或いは複数のエンティティにリンクすることと、
前記複数の管理ユニットは、１つ或いは複数のドメイン識別及び１つ或いは複数のユニバーサル識別が分配されると共に管理することと、
各前記エンティティは、リンクする複数の管理ユニットから１つ或いは複数のユニバーサル識別を割り当て、前記複数のユニバーサル識別が少なくとも１つの特殊文字、前記ドメイン識別及びエンティティ識別から成り、
前記複数の管理ユニットは、前記複数のユニバーサル識別の保存及び前記複数のユニバーサル識別を持つ前記複数のエンティティの割り当てを担当することと、
前記複数の管理ユニット内の１つ或いは複数の派生管理ユニットが１つ或いは複数の上位の親管理ユニットとリンクすることと、
前記複数の派生管理ユニット内の複数のドメイン識別及び前記複数のユニバーサル識別が前記複数の上位の親管理ユニットから割り当てられることと、
を含むことを特徴とするネットワーク上でドメイン間通信を実現するシステム。
【請求項２】
前記階層式管理構造において、最上層にあるのは、第１層の管理ユニットで、前記階層式管理構造が全ての前記複数のドメイン識別及び関連付ける前記複数のエンティティ識別を持ち、前記第１層の管理ユニットが前記複数の派生管理ユニット及び／或いは前記複数のエンティティに接続することを特徴とする請求項１に記載のシステム。
【請求項３】
前記第１層の管理ユニット内の前記複数の派生管理ユニットは、前記複数のドメイン識別を持ち、前記複数の派生管理ユニットが前記複数のエンティティ識別と関連付け、前記複数のエンティティ識別が前記上位の親管理ユニットから割り当てられ、前記上位の親管理ユニットが前記第１層の管理ユニット及び前記複数のエンティティにリンクすることを特徴とする請求項２に記載のシステム。
【請求項４】
各前記エンティティは、前記１つ或いは複数のユニバーサル識別を持ち、前記ユニバーサル識別が前記少なくとも１つの特殊文字、前記上位の親管理ユニットに接続する前記ドメイン識別、関連付けの該エンティティ識別から成ることを特徴とする請求項３に記載のシステム。
【請求項５】
前記複数の管理ユニットは、前記複数のユニバーサル識別の保存、名前解決及び前記複数のエンティティ識別と前記複数のドメイン識別の割り当てを担当することを特徴とする請求項４に記載のシステム。
【請求項６】
第２層の管理ユニットと、前記第２層の管理ユニット内の前記１つ或いは複数の派生管理ユニットとを含み、前記第２層の管理ユニット内の前記１つ或いは複数の派生管理ユニットに前記１つ或いは複数のドメイン識別が割り当てられると共に直上階層の前記上位の親管理ユニット及び前記１つ或いは複数のエンティティに接続することを特徴とする請求項５に記載のシステム。
【請求項７】
各前記エンティティは、前記１つ或いは複数のユニバーサル識別を持ち、前記複数のユニバーサル識別が少なくとも１つの特殊文字、前記ドメイン識別、前記エンティティ識別から成ることを特徴とする請求項６に記載のシステム。
【請求項８】
第３層の管理ユニットの前記複数の派生管理ユニットは、前記複数のユニバーサル識別の保存、名前解決及び前記複数のエンティティ識別と前記複数のドメイン識別の割り当てを担当することを特徴とする請求項７に記載のシステム。
【請求項９】
前記階層式管理構造のレイヤ及び前記複数の派生管理ユニットは、前記階層式管理構造の拡張に伴なって増加し、前記複数の管理ユニットのネットワーク構造が水平及び垂直の２つの方向へ広がることを特徴とする請求項８に記載のシステム。
【請求項１０】
ネットワーク上でドメイン間通信を実現する方法であって、
送信側エンティティは、コマンド又はリクエストを管理ユニットに送信し、前記コマンド又は前記リクエストが目標エンティティの情報と関連し、前記情報がユニバーサル識別にリンクされ、前記ユニバーサル識別が前記目標エンティティに対応し、かつ同一の前記管理ユニットに保存され、同一の前記管理ユニットが前記送信側エンティティと見なすステップと、
同一の前記管理ユニット及び同一の前記ユニバーサル識別において、識別を実行すると共に前記目標エンティティの前記ユニバーサル識別を送信し、かつリクエストされた通信情報が同一の前記管理ユニット内で前記送信側エンティティに送信されるステップと、
を含むことを特徴とする方法。
【請求項１１】
前記ユニバーサル識別は、前記ドメイン識別と前記目標エンティティのエンティティ識別とから成ることを特徴とする請求項１０に記載の方法。
【請求項１２】
前記情報は、代表識別番号、ＩＰアドレス或いは電子メールが挙げられ、元々前記エンティティを識別するために用いられる関連情報であることを特徴とする請求項１０に記載の方法。
【請求項１３】
ネットワーク上でドメイン間通信を実現する方法であって、
上位の親管理ユニット及び複数の派生管理ユニットを用意するステップと、
送信側エンティティは、コマンド又はリクエストを直接リンクする前記派生管理ユニットに送信するステップと、
前記送信側エンティティは、前記派生管理ユニットにリンクして前記上位の親管理ユニットに対して情報のサーチをリクエストするステップと、
前記上位の親管理ユニットは、ユニバーサル識別及び通信情報を識別すると共に前記派生管理ユニットが接続する前記送信側エンティティに送信するステップと、
前記送信側エンティティがリンクする前記派生管理ユニットは、前記ユニバーサル識別を前記送信側エンティティに送信するステップと、
を含み、
前記コマンド又は前記リクエストが目標エンティティの情報と関連し、前記情報がユニバーサル識別にリンクされると共に異なる複数の派生管理ユニットに保存され、
前記ユニバーサル識別は、前記目標エンティティに対応すると共に前記上位の親管理ユニット及びその対応の前記派生管理ユニットに保存されることを特徴とする方法。
【請求項１４】
前記ユニバーサル識別は、前記ドメイン識別と前記目標エンティティのエンティティ識別とから成ることを特徴とする請求項１３に記載の方法。
【請求項１５】
前記情報は、代表識別番号、ＩＰアドレス或いは電子メールが挙げられ、元々前記エンティティを識別するために用いられる関連情報であることを特徴とする請求項１３に記載の方法。
【発明の詳細な説明】
【技術分野】
【０００１】
本発明は、通信技術分野に関連する。特に、本発明の実施例により、ネットワーク上で特殊文字ベースの符号化規則、階層体系とドメイン識別およびエンティティ識別分析を使い、ドメインとエンティティの間のドメイン間通信ネットワークを提供する。
【背景技術】
【０００２】
通常のエンティティ間の電気通信ネットワークは、電気通信事業者から提供されるサービスに依存している。従来の電気通信サービス提供事業者は、横つながりの関係で、各通信事業者は、各自の番号計画のみを管理できる。音声通信を始める時、正確な通信経路及び受信者の宛先は、発信者がダイヤルした一連の番号、例えば国番号、地域番号と受信者及びその場所を一意的に表すために用いられる電話番号の組み合わせに依存する。電気通信事業は、先ず電話番号の各部を調べてコネクションを確立し、その後、担当のエンティティへ適宜コネクションを確立できるだけである。従って、コネクションはできるものの、指定の受信者に繋がるかは電話番号の正確性に完全に依存している。
【０００３】
もう１つの通信形態は、データ通信である。例えば、加入するエンティティのグループからなる分散システムのドメイン名解決システムで、各エンティティグループは、例えば「ｗｗｗ．ｇｏｏｇｌｅ．ｃｏｍ」のような読みやすいドメイン名をＩＰアドレスに変換する。実際の階層構造は、ドット（ｄｏｔ）で区切ったドメイン名形式で表記される。解決は「．ｃｏｍ」から始まり、逆方向の処理となる。名前解決の処理において、各加入するエンティティグループはドット（ｄｏｔ）で区切られた一部の名前解決のみを実行し、そして次の部分の名前解決のために次の担当グループへ転送し、ＩＰアドレスが解決されるまで転送を続ける。このように、ひとつのドメイン名の名前解決はネットワーク上に分散する複数のエンティティに依存し、名前解決要求は複数のエンティティ或いはエンティティグループ間に転送されるが、最後のエンティティのみが特定のドメイン名に関するＩＰアドレスの完全な情報を持つ。さらに、各ドメインカテゴリーの名前解決は、独立して運用されている。例えば「．ｃｏｍ」及び「．ｎｅｔ」は、２つの独立した名前解決システムである。
【発明の概要】
【発明が解決しようとする課題】
【０００４】
本発明の実施例により、上記問題点及び従来技術の欠点を解決するための手段を開示する。本発明の実施例に従い、複数のドメイン及びエンティティに接続する階層システムが導入されている。ネットワーク内の個々のドメインやエンティティを明確に示すための識別規則が定義されており、ドメイン識別とエンティティ識別の可読性と有用性を高めるため、通常の識別メカニズムと統合する識別対応メカニズムが記述されている。
【０００５】
本発明で使用される専門用語：
エンティティ：エンティティは、物理的なユニット、計算機能力を持つ装置、または論理的に定義されたユニットである。
エンティティ識別：エンティティに割り当てた特定の名称で、かつその名称は個々のドメイン内においてユニークである。
ドメイン：ドメインは、関連のネットワーク上のエンティティのグループで構成される。
ドメイン識別：ドメインに割り当てた特定の名称で、かつその名称はユニバーサル（ネットワーク全般）にユニークである。
ユニバーサル識別：ドメイン識別とエンティティ識別を連結する名称で、従って、ユニバーサルにユニークである。
管理ユニット：ドメインとエンティティによる階層システムの構築に用いられる。また、ドメイン識別とエンティティ識別とそれらの関連情報を管理、生成、割当及び解決する。
階層システム：ユニバーサル階層システムは、複数の管理ユニットから成るセットで構築されている。ルート管理ユニット（ＲｏｏｔＭａｎａｇｅｍｅｎｔＵｎｉｔ）は、ドメイン識別及びエンティティ識別を生成し、派生管理ユニット（ＤｅｓｃｅｎｄａｎｔＭａｎａｇｅｍｅｎｔＵｎｉｔ）に分配することを担当する。管理ユニットは、接続する（リンクする）エンティティとネットワーク上の直系派生管理ユニットを管理する。親管理ユニット（ＰａｒｅｎｔＭａｎａｇｅｍｅｎｔＵｎｉｔ）は、その派生管理ユニットのために、ドメイン識別とエンティティ識別、及びその関連情報を保持する。
識別対応：１つ又は複数の既存の既知名称、例えばＩＰアドレス、電子メールアドレス、公衆交換電話網（ＰＳＴＮ）の電話番号等をユニバーサル識別に対応させる。
ネットワーク：相互接続または相互関連された複数のエンティティ、ドメイン及び管理ユニットからなる１つのシステムである。
【課題を解決するための手段】
【０００６】
本発明において、分岐制限の無いトップダウン式の階層システムが定義されており、階層システムは複数の管理ユニットとエンティティで構成される。各管理ユニットは、システムにおいて複数の直系派生管理ユニット及びエンティティのユニークな識別の管理、割り当て、分配及び解決を担っている。更に、階層内のルート管理ユニットは、ネットワーク内の全ての管理ユニットとエンティティへの識別の生成と割当てを担う。
【０００７】
上記で説明のとおり、階層（レイヤ）システムは、管理ユニットの各レベル間で垂直的な依存関係を有し、ルート管理ユニットは大量のユニバーサル識別の生成および管理をし、このルート管理ユニットは、要求された場合、その下位のルート管理ユニットや直接接続するエンティティにこれらの識別を割り当てることを担う。さらに、各第２層の管理ユニットは、直接接続するエンティティや第３層の派生管理ユニット等へのドメイン識別とエンティティ識別を管理し割り当てる。上記で説明の階層システムは、ルート管理ユニットを始点とし、下方向及び水平方向に拡張できる。
【０００８】
これらの実施例は、更に接続する各管理ユニットに対するユニークなドメイン識別としての少なくとも１つの特殊文字と一連の英数字（ａｌｐｈａｎｕｍｅｒｉｃｃｈａｒａｃｔｅｒｓ）と、それに続くネットワーク内でドメインに接続する各エンティティに対するエンティティ識別としての一連の英数字で構成するユニバーサル識別を含む新しいシステムを構築する。
【０００９】
上記で説明のユニバーサル識別の実施例によれば、ドメイン識別は、少なくとも１つまたは複数の特殊文字のプレフィックス（接頭文字）からなり、プレフィックスは＠、＃、％、＆、＊、＋等の記号または非英数字で、識別の残りは、例えば「ＡＢＣ４５６７１１２」のように一連の英数字となる。このドメイン識別は、ユニバーサルにユニークである。
【００１０】
上記で説明の実施例によれば、エンティティ識別は英数字の文字列から成る。このエンティティ識別は、関連するドメイン内においてのみユニバーサルにユニークである。
【００１１】
上記で説明の実施例によれば、ユニバーサル識別は、ドメイン識別とエンティティ識別で構成される。従って、ユニバーサルにユニークである。
【００１２】
本発明の実施例によれば、ユニバーサル識別は、管理ユニットの解決機能によりドメイン間の通信を確立するために使用される。
【００１３】
別の実施例では、各種アプリケーションにおいて、ドメイン名、ＩＰアドレス、電子メールアドレス、ロケーションや電話番号等の既存識別と個々のエンティティまたはユニバーサル識別とを関連付ける識別対応メカニズムを提供する。本発明において、各ドメイン識別とユニバーサル識別は、割り当て時に、これらの従来の識別に対応付けられる。この情報は、ユニバーサル識別と紐付され、１つ或いは複数の管理ユニット内に保存される。この集合的な情報は、ネットワーク経由でユニバーサル識別を確認し見つけるための検索条件として使うことができ、またその逆も同様である。
【００１４】
別の実施例では、次のステップに従い、関連の管理ユニットを介し、ユニバーサル識別を検索パラメータとして、目標のエンティティのロケーション、アドレス及びアクセス方法（アクセス情報）を要求し、ネットワーク内に２つのエンティティ間の通信を確立する方法を提供する。
１．発信エンティティ（送信者）が、自分のユニバーサル識別と目標のエンティティのユニバーサル識別と一緒にリクエストを関連の管理ユニットに送信する。
２．管理ユニットがアクセス情報を保有している場合、目標のエンティティのアクセス情報を提供する。保有していない場合は、リクエストは、リクエストが解決されるまで、各ユニットの親管理ユニットへ転送される。
３．解決されたアクセス情報は、送信者に返信される。
【００１５】
別の実施例では、次のステップに従い、関連の管理ユニットを介し、目標のエンティティの既存識別名を検索パラメータとして、目標のエンティティのロケーションまたはアドレス及びアクセス方法（アクセス情報）を要求し、ネットワーク内に２つのエンティティ間の通信を確立する方法を提供する。
１．発信エンティティ（送信者）が、自分の既存識別名称と目標のエンティティの既存識別名と一緒にリクエストを関連の管理ユニットに送信する。
２．管理ユニットが目標のエンティティのユニバーサル識別またはその他の関連情報を保有している場合、その情報を提供する。保有していない場合は、リクエストは、リクエストが解決されるまで、各ユニットの親管理ユニットへ転送される。
３．解決されたユニバーサル識別または関連の情報は、送信者に返信される。
【００１６】
上記で説明のシステム及び方法によれば、ドメイン又はエンティティは、少なくとも１つの管理ユニットに保存され、かつドメイン識別またはユニバーサル識別に対応する、少なくとも１つの識別を持つ。
【００１７】
さらに、少なくとも１つの管理ユニットは、ネットワーク内において、付与されたユニバーサル識別、ドメイン識別またはその関連情報を解決できる。ここで、ユニバーサル識別またはドメイン識別の解決は、ネットワークにおいて、前述の未知のドメインまたはエンティティを特定、または直接通信するために用いられる。
【００１８】
ここで、ユニバーサル識別またはドメイン識別の関連情報も、前述の未知のドメインまたはエンティティを特定、または直接通信するために用いることができる。
【００１９】
さらなる本発明の実施例の特徴及び利点は、続く、特に添付図面と共に説明することで、より明確になる。
【００２０】
以下、本発明の実施例又は従来技術内の技術的解決策を明確に説明するため、実施例又は従来技術の記述中に使用する必要がある添付図面を簡単に説明する。下記添付図面は、僅か本発明のいくつかの実施例を説明するものであって、格別な創意工夫を要しなく、それら添付図面に示す構造に基づいてその他の添付図面を得ることができることは、当業者にとって明白である。
【図面の簡単な説明】
【００２１】
【図１】本発明の通信ネットワークを説明する図である。
【図２】本発明の実施例と一致した、同じ管理ユニット内の通信の動作面を説明するフローチャートである。
【図３】本発明の実施例と一致した、階層システム内の複数ドメインを介する通信の動作面を説明するフローチャートである。
【発明を実施するための形態】
【００２２】
本発明の目的の達成、機能・特徴及び利点は、添付図面を基に実施例を組み合わせて更なる説明を行う。
【００２３】
以下、本発明の実施例内の添付図面を基に、本発明の実施例内の技術的解決策について明確、完全な記述を行うが、記述する実施例は僅か本発明の一部の実施例であって、全部の実施例ではない。本発明内の実施例に基づいて、当業者が格別な創意工夫を要しない前提下で得られた全ての他の実施例は、本発明の保護範囲に属する。
【００２４】
言及すべき点は、本発明の実施例内の全ての方向性の指示（例えば上、下、左、右、前、後など）が僅か某特定の姿態（添付図面）における各構成要素間の相対位置関係や運動状況等を解釈するためだけに用いられるものであって、該特定の姿態に変化が生じた時、該方向性の指示も伴って変化する。
【００２５】
本発明において、別段明確な規定及び限定がない限り、用語の「接続」、「固定」などを広義に解釈すべきであり、例えば「固定」は、固定接続とすることができ、取り外し可能な接続又は一体となってもよく、機械的接続とすることができ、電気接続でもよく、直接接続とすることができ、中間媒体を通じて間接的に接続してもよく、２個の構成要素内部の連通或いは２個の構成要素の相互作用関係としてもよい。当業者にとって、具体的な状況に応じて上記用語の本発明における具体的な意味を理解できる。
【００２６】
また、本発明において、「第１」、「第２」等は、僅か記述目的のために使用され、その相対的な重要性の指示又は暗示、或いは指示する技術的特徴の数量の指摘黙示として解釈してはならない。よって、「第１」、「第２」に限定する特徴は、少なくとも１つの該特徴の包括を明示又は黙示できる。また、各実施例の間の技術的解決策を相互に結合できるものとするが、当業者が実現できることをベースとし、技術的解決策の結合に相互矛盾或いは実現不能が現れた時、この種の技術的解決策の結合が存在せず、本発明が請求する保護範囲外にあると考える。
【００２７】
本発明は、相互および各々のエンティティに接続し、それによりドメイン間通信ネットワークを構築する複数の管理ユニットを含むシステムとなった。ここで使われているように、管理ユニットは、ユニバーサル識別の保存、管理、生成及び割当てのために用いられる。本発明により実行される機能には、ユニバーサル識別の生成、分配及び管理、ユニバーサル識別の検索及び特定が含まれる。
【００２８】
図１では、本発明の実施例に従って、階層システムにおける構成要素を示す。具体的には、システムには、複数の管理ユニット１０、２０、３０、４０、５０、６０と複数のエンティティ１２、１４、１６、２２、２４、３２、４２、４４、５２、６２が含まれる。通信経路は、インターネット１００に基づく。
【００２９】
図１において、管理ユニット１０、２０、３０、４０、５０、６０は、管理ユニット１０が最上位の第１層の管理ユニットで、管理ユニット２０、３０、４０が、第２層の管理ユニットで、管理ユニット５０、６０が、第３層の管理ユニットの階層関係を形成する。第１層の管理ユニット１０は、第２層の管理ユニット２０、３０、４０、第３層の管理ユニット５０、６０、及び直接接続する（リンクする）エンティティ１２、１４、１６に対して、全てのユニバーサル識別を生成、保存、配列および割り当てできる。
【００３０】
第２層の管理ユニット２０は、接続するエンティティ２２、２４に対して、親管理ユニット１０により割り当てられた、全てのユニバーサル識別を保存、配列および割り当てできる。第２層管理ユニット３０は、第３層の管理ユニット５０、６０と直接接続するするエンティティ３２に対して、親管理ユニット１０により割り当てられた、全てのユニバーサル識別を保存、配列および割り当てできる。第２層の管理ユニット４０は、接続するエンティティ４２、４４に対して、親管理ユニット１０により割り当てられた、全てのユニバーサル識別を保存、配列および割り当てできる。
【００３１】
第３層の管理ユニット５０は、接続するエンティティ５２に対して、親管理ユニット３０により割り当てられた、ユニバーサル識別を保存、配列および割り当てできる。第３層の管理ユニット６０は、接続するエンティティ３２、６２に対して、親管理ユニット３０により割り当てられた、ユニバーサル識別を保存、配列および割り当てできる。エンティティ３２は、２つの管理ユニット３０、６０に接続し、つまり、エンティティ３２は、１つのユニバーサル識別を管理ユニット３０および６０からそれぞれ受信する。この場合、エンティティ３２は、これらの管理ユニットが提供するサービスと共に２つの管理ユニットと関連付けられる。
【００３２】
本実施例のシステムにおいて、第１層の管理ユニット１０は、その他の管理ユニットより大きな影響力を持ち、第２層の管理ユニット２０、３０、４０は、第３層の管理ユニット５０、６０より大きな影響力を持つ。各管理ユニットは、複数の派生を持つことができるが、１つ以上の直接的な親管理ユニットも持つことができる。例えば、下位の管理ユニット５０の直接的な親は、第２層の管理ユニット３０である。しかしながら、第２層の管理ユニット３０は、第３層の管理ユニット５０、６０のような、少なくとも１つの派生管理ユニットを管理できる。第２層の管理ユニット２０、３０、４０は、その他およびそれらの下位のユニバーサル識別の割り当てを知ることができず、第３層の管理ユニット５０、６０もその他およびそれらの下位のユニバーサル識別割り当てを知ることはできない。本発明のシステムの階層は、図１に示すものに限定されるものではない。１つのエンティティは、エンティティ３２のように、少なくとも１つの管理ユニットに接続することができる。管理ユニット及びエンティティの数は限定されないが、上記の階層規則を遵守しなければならない。
【００３３】
実施例の１つとして、これら管理ユニットに接続する前述の未知の管理ユニットまたはエンティティの解決は、上位の親管理ユニットにより提供される。図１に示すように、第１層の管理ユニット１０は、第２層の管理ユニット２０、３０、４０に識別解決を提供する。第２層の管理ユニット３０は、下位の第３層の管理ユニット５０、６０に同様の識別解決サービスを提供する。
【００３４】
実施例の１つとして、第１層の管理ユニット１０は、記憶装置と計算装置から成るクラウドサーバーとすることができる。第２層の管理ユニット２０、３０、４０は、各ドメインに配置するローカルサーバーとすることができる。第３層の管理ユニット５０または６０は、加入者識別モジュールカード（ＳＩＭカード）と記憶装置で構成できる。上記のエンティティは、物理ユニットで、計算機能力を持つ装置または論理的に定義されたユニットとすることができる。
【００３５】
階層規則の１つは、少なくとも１つ以上のユニバーサル識別が、ネットワークに参加する１つ以上の管理ユニットにより割り当てられ、また、管理されることである。システム全体でユニークなドメイン識別を持つ第１層の管理ユニット１０には、１つ以上のエンティティ１２、１４、１６が接続される。さらに、第１層の管理ユニット１０に関連する各エンティティ１２、１４、１６は、１つ以上のユニバーサル識別を持ち、ユニバーサル識別は、少なくとも１つの特殊文字、第１層の管理ユニットが管理するドメイン識別と第１層の管理ユニット１０から割り当てられるエンティティ識別で構成される。図１に示すように、第１層の管理ユニット１０は、下位の管理ユニットの全てのドメイン識別と自身に関連するエンティティに割り当てたユニバーサル識別を保存および管理するために用いられる。第２層の管理ユニット２０、３０、４０と第３層の管理ユニット５０、６０のドメイン識別、および各エンティティのユニバーサル識別１２、１４、１６、２２、２４、３２、４２、４４、５２、６２は、第１層の管理ユニットにより管理される。
【００３６】
各々少なくとも１つのシステム全体でのドメイン識別を持つ第２層の管理ユニット２０、３０または４０は、第１層の管理ユニット１０とエンティティ２２、２４、３２、４２または４４に接続する。接続された各エンティティ２２、２４、３２、４２または４４は、ユニバーサル識別を持ち、ユニバーサル識別は、少なくとも１つの特殊文字、接続するドメイン識別と接続する第２層の管理ユニットにより割り当てられたエンティティ識別で構成される。第２層の管理ユニット２０、３０または４０は、ドメイン識別の保存および収集と接続するエンティティ２２、２４、３２、４２または４４へのユニバーサル識別の割り当てを担当する。
【００３７】
ドメイン識別を持つ第３層の管理ユニット５０または６０は、第２層の管理ユニット３０と１つ以上のエンティティ３２、５２または６２に接続する。各エンティティ３２、５２または６２は、ユニバーサル識別を持ち、ユニバーサル識別は、少なくとも１つの特殊文字、第３層の管理ユニットのドメイン識別とエンティティ識別で構成される。第３層の管理ユニット５０または６０は、ユニバーサル識別の保存とユニバーサル識別をエンティティ３２、５２または６２に割り当てるために用いられる。エンティティ３２は、管理ユニット３０と６０の両方に接続し、各管理ユニットにより割り当てられた対応するユニバーサル識別を持つ。
【００３８】
管理ユニットは、１つ以上のドメイン識別とユニバーサル識別を保存する機能を実行するだけではなく、代表回線、アカウント、識別番号、電子メールアドレス、ロケーション、ドメイン名等の各ドメイン識別とユニバーサル識別に関連する情報も保存する。前述の項目は、少なくとも１つの識別に対応し、識別または関連の情報のいずれも識別解決に用いられることができる。例えば、識別解決プロセスにおいて、検索条件としてドメイン識別またはユニバーサル識別を用いると、関連する情報が返信される。関連する情報の１つが検索条件として使用される場合、対応するドメイン識別またはユニバーサル識別が返答される。
【００３９】
前述において、どのエンティティも、１つ以上の管理ユニットに接続でき、各管理ユニットにより割り当てられたユニバーサル識別を持つことができる。
【００４０】
各ユニバーサル識別は、開始の記号として、少なくとも１つの、一般的に知られている星印「＊」、ハッシュタグ「＃」またはその他記号と、続くドメイン識別と英数字のエンティティ識別で構成される。エンティティ間の接続を確立するためには、ユニバーサル識別の解決が、直接の親管理ユニットにより実行されなければならない。通信を確立する前に、目標のエンティティのユニバーサル識別のアクセス情報を知っている場合は、ユニバーサル識別の解決プロセスは省略することができる。
【００４１】
ユニバーサル識別は、少なくとも１つの特殊文字、ドメイン識別と続くエンティティ識別で構成される。ドメイン識別とエンティティ識別は共に、英数字の順列または組み合わせで、例えば＊ＡＢＣ４５６７１１２である。ここで、特殊文字は「＊」で、エンティティが接続する管理ユニットを識別するドメイン識別は「ＡＢＣ４」で、エンティティ識別の「５６７１１２」は、エンティティの識別で、特定のドメイン内においてユニークである。
【００４２】
本発明において、ネットワーク全体でユニークなドメイン識別は、ドメインを識別するために用いられ、ドメイン全体でユニークなエンティティ識別が、エンティティに割り当てられる。よって、ドメイン識別とエンティティ識別で構成されるユニバーサル識別を持つエンティティは、ネットワーク全体でユニークな識別である。
【００４３】
図２を参照すると、ユニバーサル識別とドメイン識別の解決のための前述の方式に基づく動作方法で、送信側エンティティまたは管理ユニットは、例えばエンティティ１２は、直接の親管理ユニットへのリクエストを形成し送信する。リクエストは、ユニバーサル識別に関連付け、管理ユニット、例えば第１層の管理ユニット１０に保存され、目標のエンティティの情報と関連する。ユニバーサル識別は、目標のエンティティに対応する。例えばエンティティ１４であり、図１に示すように、エンティティ１２とエンティティ１４は同じ管理ユニット１０に接続するので、目標のエンティティのユニバーサル識別および関連の情報も管理ユニット１０上に保存される。
【００４４】
図１に示すように、送信側エンティティと目標のエンティティは共に同じ管理ユニット１０に接続し、対応メカニズムを伴う目標のユニバーサル識別の解決は、管理ユニット１０内で実行される。対応メカニズムの結果は、管理ユニットにより、目標のエンティティ１４のユニバーサル識別と伴に返され、送信側エンティティ１２に送り返される。
【００４５】
実施例において、ユニバーサル識別は、少なくとも１つの特殊文字、第１層の管理ユニット１０から割り当てられる又は管理されるドメイン識別（すなわち、ドメイン識別）と目標のエンティティ１４のエンティティ識別（すなわち、エンティティ識別）で構成される。
【００４６】
情報は、代表回線、ドメイン名、電話番号、ＩＰアドレス、ロケーションまたは電子メールアドレスを含むことができるがこれに限定されない。
【００４７】
図３を参照すると、特にネットワーク上でドメイン間通信を実現するための前述の方式に基づく動作方法は、第２層の管理ユニット及び第３層の管理ユニット、例えば第２層の管理ユニット３０および第３層の管理ユニット５０を構成し提供する。
【００４８】
第３層の管理ユニット５０に対するコマンドまたはリクエストの送信は、送信側エンティティ、例えばエンティティ５２により実施される。目標のエンティティ６２へのコマンドまたはリクエストは、先に述べたシステムの階層構造としてユニバーサル識別に関連付けられた（リンクされた）目標のエンティティの情報に関連する。情報は、目標のエンティティが直接接続する、第３層の管理ユニット６０および第２層の親管理ユニット３０に保存される。
【００４９】
図１に示すように、送信側エンティティ５２および目標のエンティティ６２は、２つの別々の管理ユニット５０と６０に接続されおり、先ず第３層の管理ユニット５０により、結果は不確定であるが、対応メカニズムを伴う目標のユニバーサル識別の解決が実行される。これは、エンティティ６２が接続される関連の管理ユニットではないので、更なるユニバーサル識別の解決のため、管理ユニット５０により、上位の親管理ユニット３０に対してリクエストが送信される。管理ユニット３０は、管理ユニット６０の親であるため、管理ユニット３０によりリクエストは解決でき、ユニバーサル識別の結果は管理ユニット５０に返され、引き続き送信側エンティティ５２に送り返す。
【００５０】
この実施例において、ユニバーサル識別は、少なくとも１つの特殊文字、第２層の管理ユニット３０が管理するドメイン識別（すなわち、ドメイン識別）と目標エンティティ６２のエンティティ識別（すなわち、エンティティ識別）で構成される。
【００５１】
情報は、代表回線、ドメイン名、電話番号、ＩＰアドレス、ロケーションまたは電子メールアドレスを含むことができるがこれに限定されない。
【００５２】
１つの実施例として、ネットワーク上で直接的なドメイン間通信を実現するための前述の方式に基づく動作方法は、関連の親管理ユニットおよび関連の派生管理ユニット、例えば第１層の管理ユニット１０および第２層管理ユニット４０を構成し提供する。
【００５３】
関連の派生管理ユニットに対するコマンドまたはリクエストの送信は、送信側エンティティ、例えばエンティティ４２により実施される。従って、コマンドまたはリクエストは、ユニバーサル識別と関連付け、かつ関連の親管理ユニット１０に保存される、目標のエンティティの情報に関連する。また、ユニバーサル識別は、目標のエンティティ、例えばエンティティ６２に対応し、第１層の管理ユニット１０に保存される。この場合、関連の派生管理ユニット４０は、エンティティ６２に関する情報を持たない。
【００５４】
従って、対応の親管理ユニット１０に対して、関連の派生管理ユニット４０から送信された情報を見つけるようにリクエストし、対応の親管理ユニット１０から派生管理ユニット４０に対してユニバーサル識別を特定し送信し、関連の派生管理ユニット４０から送信側エンティティ４２にユニバーサル識別を送信する。こうして階層規則の対応の管理概念を示し、かつドメイン間通信ネットワークを実行する。
【００５５】
この実施例において、各ユニバーサル識別は、開始記号として少なくとも１つの特殊文字と続くドメイン識別およびエンティティ識別を含む。この系統的な識別規則は、簡素化とユニバーサル識別の解決の効率の簡素化のためである。よって、各管理ユニットのユニバーサル識別の解決プロセスにおいて、担当する管理ユニットは容易に特定でき、目標のエンティティを担当する管理ユニットは、管理するドメイン識別にドメイン識別を検査することによって決定できる。対応のものが見つかった場合、完全なユニバーサル識別の解決が実行され、対応のものが見つからない場合は、更なる処理のため、リクエストが親管理ユニットに送信される。
【００５６】
前述の本発明の検討は、図解および説明の目的のために提供されている。また、記述したのは、ここで開示された形式に限定されることなく、よって、関連技術の技能または知識内での、上記解説に関連する変更および修正は、本発明の範囲内である。
【符号の説明】
【００５７】
１０、２０、３０、４０、５０、６０管理ユニット
１２、１４、１６、２２、２４、３２、４２、４４、５２、６２エンティティ
１００インターネット
【図１】
2018157563.tif 000003
【図２】
2018157563.tif 000004
【図３】
2018157563.tif 000005